【事件の表示】
　特許第２９９７１０４号「液体用紙容器」の請求項１に係る特許に対する特許異議の申立てについて、次のとおり決定する。
【結　論】
　訂正を認める。
　特許第２９９７１０４号の請求項１に係る特許を取り消す。
【理　由】
Ｉ．手続の経緯
　本件特許第２９９７１０４号は、平成３年８月９日に出願され、平成１１年１０月２９日に特許の設定登録がなされ、特許掲載公報が平成１２年１月１１日に発行され、その後、平成１２年７月１１日付けで日本製紙株式会社より特許異議の申立てがなされ、取消理由通知がなされ、その指定期間内である平成１２年１２月１２日に意見書の提出と共に訂正請求がなされたものである。　
　
II．訂正の適否についての判断
（１）訂正の要旨
　本件の訂正の要旨は、
ａ．特許請求の範囲の請求項１の　
「紙層とプラスチック層との積層構成による紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が変性ポリオレフィン系樹脂層を介して積層されており、かつ該紙容器用積層シートの酸素透過度が９００ｃｃ／ｍ２・ｄａｙ・ａｔｍ以下であることを特徴とする液体用紙容器。」
という記載を、
「紙層とプラスチック層との積層構成による紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が、変性ポリオレフィン系樹脂層を介して、かつ、その変性ポリオレフィン系樹脂層のコロナ放電処理面に対向して積層されており、かつ該紙容器用積層シートの酸素透過度が９００ｃｃ／ｍ２・ｄａｙ・ａｔｍ以下であることを特徴とする液体用紙容器。」
と訂正し、
ｂ．明細書の段落番号【０００６】の
「本発明は、紙層とプラスチック層との積層構成による紙容器用積層シートによって製函されている液体用紙容器からなるものであって、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が変性ポリオレフィン系樹脂層を介して積層されており、かつ該紙容器用積層シートの酸素透過度が９００ｃｃ／ｍ２・ｄａｙ・ａｔｍ以下にあるものである。」
という記載を、
「本発明は、紙層とプラスチック層との積層構成による紙容器用積層シートによって製函されている液体用紙容器からなるものであって、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が、変性ポリオレフィン系樹脂層を介して、かつ、その変性ポリオレフィン系樹脂層のコロナ放電処理面に対向して積層されており、かつ該紙容器用積層シートの酸素透過度が９００ｃｃ／ｍ２・ｄａｙ・ａｔｍ以下にあるものである。」
と訂正し、
ｃ．明細書の段落番号【００１７】の
「紙容器用積層シート[ａ]の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を介して、グリコール変性ポリエチレンテレフタレート樹脂（ガラス転移温度：８１℃，非晶性）による厚さ１０μの変性ポリエチレンテレフタレート樹脂層と、マレイン酸変性ポリエチレン樹脂［三井石油化学工業 (株) ：アドマー］）による厚さ１０μの変性ポリオレフィン系樹脂層との共押出し積層樹脂層を、前記ポリエチレン樹脂の押出しコート層と共押出し積層樹脂層における変性ポリオレフィン系樹脂層とが接するようにして、すなわち、共押出し積層樹脂層における変性ポリエチレンテレフタレート樹脂層が最外層となるようにして積層することにより、酸素透過度４００ｃｃ／ｍ２・ｄａｙ・ａｔｍの紙容器用積層シート［ａ］を得た。」
という記載を、
「紙容器用積層シート[ａ]の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を形成した。次に、上記の厚さ３０μの押出しコート層の面に、グリコール変性ポリエチレンテレフタレート樹脂（ガラス転移温度：８１℃，非晶性）による厚さ１０μの変性ポリエチレンテレフタレート樹脂層と、マレイン酸変性ポリエチレン樹脂［三井石油化学工業 (株) ：アドマー］）による厚さ１０μの変性ポリオレフィン系樹脂層とが、その変性ポリオレフィン系樹脂層のコロナ放電処理面に対向させて積層した積層樹脂層を、その積層樹脂層における変性ポリオレフィン系樹脂層が接するようにして、すなわち、積層樹脂層における変性ポリエチレンテレフタレート樹脂層が最外層となるようにして積層することにより、酸素透過度４００ｃｃ／ｍ２・ｄａｙ・ａｔｍの紙容器用積層シート［ａ］を得た。」
と訂正し、
ｄ．明細書の段落番号【００１９】の
「紙容器用積層シート［ｃ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を介して、グリコール変性ポリエチレンテレフタレート樹脂（ガラス転移温度：８１℃，非晶性）による厚さ２０μの変性ポリエチレンテレフタレート樹脂層と、マレイン酸変性ポリエチレン樹脂［三井石油化学工業 (株) ：アドマー］）による厚さ１０μの変性ポリオレフィン系樹脂層との共押出し積層樹脂層を、前記ポリエチレン樹脂の押出しコート層と共押出し積層樹脂層における変性ポリオレフィン系樹脂層とが接するようにして積層することにより、酸素透過度２００ｃｃ／ｍ２・ｄａｙ・ａｔｍの紙容器用積層シート［ｃ］を得た。」
という記載を、
「紙容器用積層シート［ｃ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を形成した。次に、上記の厚さ３０μの押出しコート層の面に、グリコール変性ポリエチレンテレフタレート樹脂（ガラス転移温度：８１℃，非晶性）による厚さ２０μの変性ポリエチレンテレフタレート樹脂層と、マレイン酸変性ポリエチレン樹脂［三井石油化学工業 (株) ：アドマー］）による厚さ１０μの変性ポリオレフィン系樹脂層とが、その変性ポリオレフィン系樹脂層のコロナ放電処理面に対向させて積層した積層樹脂層を、その積層樹脂層における変性ポリオレフィン系樹脂層が接するようにして、すなわち、積層樹脂層における変性ポリエチレンテレフタレート樹脂層が最外層となるようにして積層することにより、酸素透過度２００ｃｃ／ｍ２・ｄａｙ・ａｔｍの紙容器用積層シート［ｃ］を得た。」
と訂正しようとするものである。
(2)訂正の目的の適否、新規事項の追加及び拡張・変更の存否
　訂正ａは、特許請求の範囲の請求項１において、「変性ポリオレフィン系樹脂層」にコロナ放電処理を施すとの要件を付加し、構成をより具体的に限定しようとするもので、明細書の段落番号【０００９】の記載に基づくものであるから、この訂正は特許請求の範囲の減縮に該当し、新規事項の追加に該当せず、実質上特許請求の範囲を拡張し、変更するものではない。
　訂正ｂないしｄは特許請求の範囲の減縮に整合させるための訂正であって、明細書に記載された事項の範囲内の訂正であり、明りょうでない記載の釈明に該当し、実質上特許請求の範囲を拡張し、変更するものではない。。
　以上のとおりであるから、前記訂正は特許法等の一部を改正する法律（平成６年法律第１１６号）附則第６条第１項の規程によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
III．特許異議の申立てについての判断
（１）請求項１に係る発明
  本件の請求項１に係る発明（以下、「本件発明」という。）は前記訂正が認められた結果、訂正明細書の特許請求の範囲の請求項１に記載された以下のとおりのものである。
「Ａ）紙層とプラスチック層との積層構成による紙容器用積層シートによって製函されている液体用紙容器において、
Ｂ）前記紙容器用積層シートには、
Ｃ）該紙容器用積層シートによる紙容器の内周面層になる位置に、
Ｄ）ガラス転移温度４０℃以上の非晶性〜低結晶性の変性ポリエチレンテレフタレート樹脂層からなる酸素バリヤー性層が、
Ｅ）変性ポリオレフィン系樹脂層を介して、
Ｆ）かつ、その変性ポリオレフィン系樹脂層のコロナ放電処理面に対向して積層されており、
Ｇ）かつ該紙容器用積層シートの酸素透過度が９００ｃｃ／ｍ２・ｄａｙ・ａｔｍ以下であることを特徴とする
Ｈ）液体用紙容器」（Ａ〜Ｄは当審で付した。）
（２）引用刊行物に記載された発明
　当審で通知した取消しの理由で引用した刊行物は、
刊行物１ 　特開平１−２４９４２２号公報
　　　　　　（特許異議申立人　日本製紙株式会社提出の甲第１号証）
刊行物２　「日工マテリアル」Vol．３、No．４（１９８５年）　   　　　　　　　　　　　　　　　　　３１〜３５頁　 （同甲第２号証）
刊行物３   特開昭５８−１６０２４４号公報　（同甲第３号証）
刊行物４   特開昭６１−　２７２５０号公報　（同甲第４号証）
刊行物５   特開昭６２−２９０５３４号公報  （同甲第５号証）
刊行物６   特開昭６０−１１５６２３号公報　（同甲第６号証）
で、各刊行物には、以下のような事項が記載されている。
・刊行物１
　接着部の接着強度及び内填物に対する保香特性に優れた紙容器の製造方法に関するもので、以下の記載がある。
ａ．「紙層を具備する包装材用基材に対して、接着性ポリオレフィン系樹脂による接着剤層と４０℃以上のガラス転移温度を有する低結晶性線状飽和ポリエステル樹脂による裏面層との共押し出し積層樹脂層を、該共押し出し積層樹脂層における前記裏面層が外側層となるようにして押し出し積層することを特徴とする紙容器用成形素材の製造方法」（特許請求の範囲）
ｂ．「保香性能に優れた性質を発揮し得る紙容器用成形素材として、紙層を具備する包装材用基材のポリオレフィン系樹脂層面に対して、線状飽和ポリエステル樹脂層を押し出し積層した積層シートが提案されており、容器内周面層が線状飽和ポリエステル樹脂層で構成される紙容器が開発され始めている。しかしながら、前記線状飽和ポリエステル樹脂層を押し出し積層した積層シートは、飽和ポリエステル樹脂層とポリオレフィン系樹脂層との間の接着強度が十分でなく」（２頁左上欄１４行〜右上欄６行）
ｃ．「本発明方法で利用する４０℃以上のガラス転移温度を有する低結晶性線状飽和ポリエステル樹脂は、該樹脂によって構成される線状飽和ポリエステル樹脂層が、ガラス転移温度未満の温度雰囲気中で優れた保香性能を発揮するものであり、一般的に、紙容器内の内填物が４０℃未満に維持されるものであることとの関係で、本発明方法においては、前記線状飽和ポリエステル樹脂層による優れた保香性能が利用し得るものである。」（２頁左下欄１４行〜右下欄５行）
ｄ．「本発明方法において使用されるガラス転移温度が４０℃以上の線状飽和ポリエステル樹脂は、例えば、・・・エチレングリコールとイソフタル酸とテレフタル酸・・・等の共縮合重合体を利用し得る。」（２頁右下欄１５行〜３頁左上欄１０行）
ｅ．「ガラス転移温度が４０℃以上の線状飽和ポリエステル樹脂と共に共押し出し成形される接着性ポリオレフィン系樹脂は、例えば、・・・ポリエチレン系重合体と、例えば、・・・エチレン系不飽和単量体の１種または２種以上、具体的には、Ａ．エチレン系不飽和カルボン酸：アクリル酸、メタクリル酸、マレイン酸、・・・等のエチレン系不飽和単量体との共重合体であり、なかでも、エチレン系不飽和カルボン酸あるいはエチレン系不飽和無水カルボン酸との共重合体が特に好適に使用される。」（３頁左上欄１６行〜右下欄６行）
ｆ．「実施例１　坪量４００ｇ／ｍ２の耐酸紙の表．裏両面に、それぞれ、厚さ２０μの低密度ポリエチレン樹脂［ミラソン１６ＳＰ：三井石油化学（株）製］層を押し出しコーティングすることによって、包装材用基材［ｉ］を得た。次いで、前記包装材用基材［ｉ］に対して、厚さ１０μの接着性ポリオレフィン系樹脂［アドマーＡＴ４９９：三井石油化学工業（株）製］層と、厚さ３０μの低結晶性線状飽和ポリエステル樹脂［ＰＥＴ　Ｇ　６７６３：ガラス転移温度８１℃．イーストマンコダック社製］層との共押し出し積層樹脂層を、該積層樹脂層における接着性ポリオレフィン系樹脂層と前記包装材基材［ｉ］とが接するようにして、押し出し積層することにより、目的製品である紙容器用成形素材［Ａ］を得た。」（４頁右上欄４行〜左下欄２行）
ｇ．「比較例１　前記実施例１で得られた包装材用基材［ｉ］と同一の構成からなる包装材用基材［ｉ］の一方のポリエチレン樹脂層面をコロナ放電処理に付し、引き続いて、該コロナ放電処理面に、厚さ３０μの低結晶性線状飽和ポリエステル樹脂「ＰＥＴ　Ｇ　６７６３」層を押し出しコートすることによって、比較のための紙容器用成形素材［ａ］を得た。」（４頁左下欄３〜１１行）
ｈ．「前記各実施例及び比較例で得られた紙容器用成形素材を３８０ｍｍ×３６０ｍｍの紙容器用ブランク板に打ちき、・・・所定の製函工程によって、・・・容器内周面層が前記紙容器用ブランクにおける低結晶性線状飽和ポリエステル樹脂層で構成されている紙容器、すなわち、第１図に示されるような、・・・ゲーベルトップ型直方体形状の紙容器を得た。」（５頁右上欄１２行〜右下欄１行、第１図参照。）
・刊行物２
　グリコール変性ＰＥＴの物性、加工法、用途と実用例を、イーストマン・コダック社のＰＥＴＧ６７６３を中心に概説したものであり、ＰＥＴＧ６７６３がグリコール成分の一部を１、４−シクロヘキサンメタノールで置換して得られたものであること、そのガラス転移点が８１℃、０．２５０ｍｍ厚シートの酸素透過度が１０ｃｍ３・ｍｍ／２４時間・Ｍ２・ａｔｍであること（３１頁）、食品の味、臭いを変えず、香りを保存し、臭いを吸着し難いという機能を有すること（３４頁）が記載されている
・刊行物３
　アルミ箔を用いることなく、酸素や炭酸ガス等のガスに対して優れたバリヤー性を達成した、酒、焼酎、ソース、油等の容器として用いるバリヤー性紙容器に関するものであり、紙容器にバリヤー性を付与するため、紙容器用積層シートの積層構成中にアルミ箔を用いた場合、その容器は焼却処理が困難になること（２頁左上欄４〜１１行）、ポリエステル樹脂は酸素バリヤー性を有すること（２頁右下欄１３行〜３頁左上欄８行および６頁第１表）が記載されている。
　また、バリヤー製フィルムとしてポリエステルを用い、厚さ４０μのＰＥ、厚さ２５μのＰＥＴ、厚さ２０μのＰＥ、紙、厚さ２０μのＰＥ、厚さ２５μのＰＥＴ、厚さ４０μのＰＥをこの順に積層してなる紙容器用積層シートが、酸素透過度９．２ｃｃ／ｍ２・２４ｈｒｓ・ａｔｍを示したこと（実施例３）、厚さ４０μのＰＥ、紙、厚さ２０μのＰＥ、厚さ５０μのＰＥＴ、厚さ６０μのＰＥをこの順に積層してなる紙容器用積層シートが、酸素透過度２２ｃｃ／ｍ２・２４ｈｒｓ・ａｔｍを示したこと（比較例３）が記載されている（５頁左下欄７〜１０行および７頁第２表）。
・刊行物４
  アルミ箔を用いることなく、優れた酸素バリヤー性を達成して、ジュース、ヨーグルト、牛乳等の容器を製函するためのバリヤー性複合材料に関するものであり、厚さ２０μのポリエステル樹脂層、３４０ｇ／ｍ２の液体容器用ペーパーボード、接着性塩化ビニリデン樹脂層、厚さ３０μ ポリエステル樹脂層を、接着性塩化ビニリデン樹脂層の表面および液体容器用ペーパーボードの裏面にコロナ放電処理をして、この順に積層してなる複合材料が、酸素透過度３．５ｍｌ／ｍ２・２４ｈｒｓ・ａｔｍを示したこと（３頁左下欄２行〜４頁左上欄４行（実施例１）および４頁第１表）、３４０ｇ／ｍ２の液体容器用ペーパーボード、接着性塩化ビニリデン樹脂層、厚さ３０μ ポリエステル樹脂層を、接着性塩化ビニリデン樹脂層の表面および液体容器用ペーパーボードの裏面にコロナ放電処理をして、この順に積層してなる複合材料が、酸素透過度８．９ｍｌ／ｍ２・２４ｈｒｓ・ａｔｍを示したこと（４頁左上欄９〜１３行（実施例２）および４頁および４頁第１表）が記載されている。
・刊行物５
　酸素障壁特性を有し、風味／芳香成分を吸収せず透過もしない、柑橘類ジュースやその他の液体のための熱封緘可能な紙容器に関するものであり、グリコール変性ポリエチレンテレフタレートであるＰＥＴＧ５１１６からなる樹脂層を容器内周面層に有する紙容器は、柑橘類ジュースの風味油の保存、酸素透過やビタミンＣの損失を有意的に防ぐこと（３頁右下欄第９行〜４頁左上欄１３行、７頁左下欄２〜８行、第１表および第５図）、ＰＥＴＧ層の付着を容易にするため、ペーパーボード基体上のＬＤＰＥ層にコロナ放電処理を施すこと（４頁右上欄１５〜１９行）が記載されている。
・刊行物６
　溶融成形性に優れ、機械的強度、透明性およびガスバリヤー性に優れた共縮合ポリエステルに関するものであり、共縮合ポリエステルを構成する成分のうち、主としてイソフタル酸からなる芳香族系ジカルボン酸成分の含量が小さくなると、その共縮合ポリエステルのガスバリヤー性が低下すること（６頁左上欄１７行〜右上欄５行）、イソフタル酸を主成分とする共縮合ポリエステルが、単なるＰＥＴよりも優れた酸素バリヤー性を有することが記載されている（１２頁右上欄１７行〜右下欄末行（実施例１）および１４頁左上欄１〜８行（比較例１））。
（３）対比および判断
　本件発明と刊行物１記載の発明とを対比すると、後者は記載ａおよび記載ｈから、前者の構成Ａおよび構成Ｈを具備し、後者の「接着性ポリオレフィン系樹脂」は、記載ｅ、および記載ｆを参照すると前者の実施例において使用している変性ポリオレフィン系樹脂と同種のものが含まれるから（本件特許掲載公報５欄４２行〜６欄２行）、前者の「変性ポリオレフィン系樹脂」に相当し、後者の「低結晶性線状飽和ポリエステル樹脂」は、記載ｄを参照すると前者の実施例において使用しているガラス転移温度４０℃以上の非晶性〜低結晶性の変性ポリエチレンテレフタレート樹脂と同種のものが含まれるから（本件特許掲載公報５欄４２行〜６欄２行）、前者の「ガラス転移温度４０℃以上の非晶性〜低結晶性の変性ポリエチレンテレフタレート樹脂」に相当し、さらに記載ｈから、後者は前者の構成ＢないしＥを具備するから、両者は
「紙層とプラスチック層との積層構成による紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が、変性ポリオレフィン系樹脂層を介して、積層されてなることを特徴とする液体用紙容器」
で一致し、
（イ）前者では、変性ポリエチレンテレフタレート樹脂層が変性ポリオレフィン系樹脂層のコロナ処理面に対向して積層されているのに対し、後者では、両層が共押し出し積層されており、両層間にコロナ処理面が存在しない点、
（ロ）前者では 、紙容器用積層シートの酸素透過度が９００ｃｃ／ｍ２・ｄａｙ・ａｔｍ以下であると明記されているのに対し、後者では、このような記載がない点、
で一応相違する。
  以下相違点について検討する。
・相違点（イ）について
   本件発明において、変性ポリエチレンテレフタレート樹脂層が「変性ポリオレフィン系樹脂層のコロナ処理面に対向して積層されている」ということは、基材に変性ポリオレフィン系樹脂による接着剤層が積層され、この変性ポリオレフィン系樹脂による接着剤層にコロナ放電処理を施し、そのコロナ放電処理面に変性ポリエチレンテレフタレート樹脂層が積層されている、ということであり（特許異議意見書６頁３−２）、変性ポリオレフィン系樹脂層面に対して、コロナ放電処理を施す目的は、変性ポリエチレンテレフタレート樹脂層と変性ポリオレフィン系樹脂層との間の接着強度を高めることである。（本件特許掲載公報４欄９〜１３行）
  ところで、この種積層シートを作成するにあたり、基材に各樹脂層を順に積層することは、刊行物１に従来例として記載されているところであるが（記載ｂ）、さらに、刊行物４および刊行物５にも記載されているように従来周知の事項である。また、接着剤層面にコロナ放電処理を施すことも、刊行物１（記載ｇ）、刊行物４および刊行物５にも記載されているように接着強度を高める手段として従来周知の事項である。してみると、同じ接着剤層である変性ポリオレフィン系樹脂層面に対して、コロナ放電処理を施すことを想起することに格別の困難性があるとは認められず、刊行物１記載の発明において、積層シートを作成するにあたり、共押し出しに替えて相違点（イ）のような手段を採用することは、当業者が容易に想到することができる事項である。
 ・相違点（ロ）について
  刊行物１には、ガラス転移温度４０℃以上の低結晶性の変性ポリエチレンテレフタレートとして、ＰＥＴＧ６７６３（イーストマンコダック社）を使用する実施例１が記載されている。一方、刊行物２には、このＰＥＴＧ６７６３（イーストマンコダック社）に関し、０．２５０ｍｍ厚シートの酸素透過度が１０ｃｍ３・ｍｍ／２４時間・Ｍ２・ａｔｍであること（３１頁）が記載されている。これは、１ｍｍ厚のＰＥＴＧ６７６３のシートでは、酸素透過度は１０ｃｍ３／２４時間・Ｍ２・ａｔｍを示すことを意味するので、厚さ３０μ（刊行物１記載の発明の実施例１で使用されるＰＥＴＧ６７６３のシート厚）のＰＥＴＧ６７６３の酸素透過度は、１０×１０００／３０＝約３３３ｃｍ３／２４時間・Ｍ２・ａｔｍ程度となると考えられる。したがって、この変性ポリエチレンテレフタレート樹脂層に加え、他のプラスチック層等も積層されている刊行物１記載の発明の実施例１の紙容器用成形素材は、少なくとも約３３３ｃｍ３／２４時間・Ｍ２・ａｔｍより少ない酸素透過度を示すこととなり、これは本件発明の構成要件に規定される、「紙容器用積層シートの酸素透過度が９００ｃｃ／ｍ２・ｄａｙ・ａｔｍ以下」という要件を満たすものである。してみると、刊行物１記載の発明は、本件発明の構成Ｇを具備するものといえ、相違点（ロ）は、単に紙容器用積層シートの酸素透過度を数値的に明記したか否かの違いであって、実質的なものではない。
・効果について
　 本件発明は、「（あ）−紙資源のリサイクルルートに載せることができ、使用後の処理が容易である」（本件掲載公報７欄３〜４行）、「（い）−空気中の酸素によって変質しやすい液体に対しての保存性能が良好」（本件掲載公報７欄８行〜８欄１行）、「（う）−内填物の保香性能に優れた作用を奏する」（本件掲載公報８欄７行）という効果を奏するものである。しかしながら、アルミ箔を用いることなく、紙層とプラスチック層との積層構成による紙容器用積層シートによって液体用紙容器を構成し、前記効果（あ）を達成しようという試みは刊行物３および刊行物４に、空気中の酸素によって変質しやすい液体である、酒やジュース等の保存を前提とし、これを充填する紙容器を製函するための積層シートとしてポリエステル樹脂を採用し、前記効果（い）を達成しようという試みは刊行物３ないし刊行物５に、積層シートによる紙容器の内周面層になる位置に、ガラス転移温度４０℃以上の非晶性〜低結晶性の変性ポリエチレンテレフタレート樹脂層を配することにより前記効果（う）を達成しようという試みは刊行物５に記載されているように本件出願前周知のものであり、これらの効果は積層シートの材質ないし層の配置に由来するものであって、構成より当然に達成される効果であり、格別のものとはいえない。
　
IV．むすび
　以上のとおりであるから、本件請求項１に係る発明は、刊行物１および刊行物２記載の発明、ならびに周知技術（刊行物３ないし刊行物６）に基づいて当業者が容易に想到することができたものであり、特許法第２９条第２項の規定により特許を受けることができない。
　したがって、本件請求項１に係る特許は拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年２月２０日（２００１．２．２０）
【訂正の要旨】
訂正の要旨
　特許第２９９７１０号発明の明細書を、
（Ａ）特許請求の範囲の減縮を目的として、
特許請求の範囲の
「【請求項１】　紙層とプラスチック層との積層構成により紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変形ポリエチレンテレフタレート樹脂層からなる酸素バリヤー性層が変形ポリオフィン系樹脂層を介して積層されており、かつ該紙容器用積層シートの酸素透過度が９００ｃｃ／ｍ２・ｄａｙ・ａｔｍ以下であることを特徴とする液体用紙容器。」
という記載を、
「【請求項１】　紙層とプラスチック層との積層構成により紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変形ポリエチレンテレフタレート樹脂層からなる酸素バリヤー性層が、変形ポリオフィン系樹脂層を介して、かつ、その変性ポリオレフィン系樹脂層のコロナ放電処理面に対向して積層されており、かつ該紙容器用積層シートの酸素透過度が９００ｃｃ／ｍ２・ｄａｙ・ａｔｍ以下であることを特徴とする液体用紙容器。」
と訂正する。
（Ｂ）明りょうでない記載の釈明を目的として、
１）明細書の段落【０００６】の
「本発明は、紙層とプラスチック層との積層構成による紙容器用積層シートによって製函されている液体用紙容器からなるものであって、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が変形ポリオレフィン系樹脂層を介して積層されており、かつ該紙容器用積層シートの酸素透過度が９００ｃｃ／ｍ２・ｄａｙ・ａｔｍ以下にあるものである。」
という記載を、
「本発明は、紙層とプラスチック層との積層構成による紙容器用積層シートによって製函されている液体用紙容器からなるものであって、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が、変形ポリオレフィン系樹脂層を介して、かつ、その変形ポリオレフィン系樹脂層のコロナ放電処理面に対向して積層されており、かつ該紙容器用積層シートの酸素透過度が９００ｃｃ／ｍ２・ｄａｙ・ａｔｍ以下にあるものである。」
と訂正する。
２）明細書の段落【００１７】の
「紙容器用積層シート［ａ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を介して、グリコール変性ポリエチレンテレフタレート樹脂（ガラス転移温度：８１℃，非晶性）による厚さ１０μの変性ポリエチレンテレフタレート樹脂層と、マレイン酸変性ポリエチレン樹脂［三井石油化学工業（株）：アドマー］）による厚さ１０μの変性ポリオレフィン系樹脂層との共押出し積層樹脂層を、前記ポリエチレン樹脂の押出しコート層と共押出し積層樹脂層における変性ポリオレフィン系樹脂層とが接するようにして、すなわち、共押出し積層樹脂層における変性ポリエチレンテレフタレート樹脂層が最外層となるようにして積層することにより、酸素透過度４００ｃｃ／ｍ２・ｄａｙ・ａｔｍの紙容器用積層シート［ａ］を得た。」
という記載を、
「紙容器用積層シート［ａ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を形成した。次に、上記の厚さ３０μの押出しコート層の面に、グリコール変性ポリエチレンテレフタレート樹脂（ガラス転移温度：８１℃，非晶性）による厚さ１０μの変性ポリエチレンテレフタレート樹脂層と、マレイン酸変性ポリエチレン樹脂［三井石油化学工業（株）：アドマー］）による厚さ１０μの変性ポリオレフィン系樹脂層とが、その変性ポリオレフィン系樹脂層のコロナ放電処理面に対向させて積層した積層樹脂層を、その積層樹脂層における変性ポリオレフィン系樹脂層が接するようにして、すなわち、積層樹脂層における変性ポリエチレンテレフタレート樹脂層が最外層となるようにして積層することにより、酸素透過度４００ｃｃ／ｍ２・ｄａｙ・ａｔｍの紙容器用積層シート［ａ］を得た。」
と訂正する。
３）明細書の段落【００１９】の
「紙容器用積層シート［ｃ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を介して、グリコール変性ポリエチレンテレフタレート樹脂（ガラス転移温度：８１℃，非晶性）による厚さ２０μの変性ポリエチレンテレフタレート樹脂層と、マレイン酸変性ポリエチレン樹脂［三井石油化学工業（株）：アドマー］）による厚さ１０μの変性ポリオレフィン系樹脂層との共押出し積層樹脂層を、前記ポリエチレン樹脂の押出しコート層と共押出し積層樹脂層における変性ポリオレフィン系樹脂層とが接するようにして積層することにより、酸素透過度２００ｃｃ／ｍ２・ｄａｙ・ａｔｍの紙容器用積層シート［ｃ］を得た。」
という記載を、
「紙容器用積層シート［ｃ］の製造　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を形成した。次に、上記の厚さ３０μの押出しコート層の面に、グリコール変性ポリエチレンテレフタレート樹脂（ガラス転移温度：８１℃，非晶性）による厚さ２０μの変性ポリエチレンテレフタレート樹脂層と、マレイン酸変性ポリエチレン樹脂［三井石油化学工業（株）：アドマー］）による厚さ１０μの変性ポリオレフィン系樹脂層とが、その変性ポリオレフィン系樹脂層のコロナ放電処理面に対向させて積層した積層樹脂層を、その積層樹脂層における変性ポリオレフィン系樹脂層が接するようにして、すなわち、積層樹脂層における変性ポリエチレンテレフタレート樹脂層が最外層となるようにして積層することにより、酸素透過度２００ｃｃ／ｍ２・ｄａｙ・ａｔｍの紙容器用積層シート［ｃ］を得た。」
と訂正する。
（５４）【発明の名称】
液体用紙容器
（５７）【特許請求の範囲】
　【請求項１】　紙層とプラスチック層との積層構成による紙容器用積層シートによって製函されている液体用紙容器において、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が
、変性ポリオレフィン系樹脂層を介して、かつ、その変性ポリオレフィン系樹脂層のコロナ放電処理面に対向して
【発明の詳細な説明】
　【０００１】
　【産業上の利用分野】
　本発明は、酸素の影響によって品質が低下する虞れのある液体、例えば各種の果汁等を充填するのに好適な紙容器に関する。
　【０００２】
　【従来の技術】
　ワンウエイ方式による利便性から、各種の飲料等の容器として紙容器が利用されている。
　この紙容器は、該紙容器における封緘部を紙容器用積層シートが具備する熱溶着能によって形成し得るように、内、外の両表面層がポリオレフィン系樹脂層からなる紙容器用積層シート、一般的には、「ポリエチレン樹脂層／紙層／ポリエチレン樹脂層」からなる積層構成による紙容器用積層シートによって製函されている。
　【０００３】
　【発明が解決しようとする課題】
　前記した従来の紙容器用積層シートによる紙容器は、酸素ガスバリヤー性が不十分であり、例えば、ビタミンＣのように空気中の酸素によって劣化し易い成分を含有する各種の果汁を充填する場合には、その保存性能が十分ではない。
　このために、積層構成中にアルミニウム箔等による金属箔を利用した積層シートにより液体用紙容器が利用され始めている。
　【０００４】
　しかるに、この積層シートによる液体用紙容器は、酸素バリヤー性を高める目的で積層されているアルミニウム箔等による金属箔の存在のために、使用後の紙容器の区分け処理が難しく、紙資源のリサイクル利用に対応し得ないという問題がある。
　【０００５】
　これに対して本発明は、紙層と薄肉のプラスチック層との積層構成からなるもので、アルミニウム箔等による金属箔を使用した場合のような廃棄処理上の問題がなく、しかも酸素バリヤー性及び内填物の保香性能に優れた作用を奏する液体用紙容器を提供する。
　【０００６】
　【課題を解決するための手段】
　本発明は、紙層とプラスチック層との積層構成による紙容器用積層シートによって製函されている液体用紙容器からなるものであって、前記紙容器用積層シートには、該紙容器用積層シートによる紙容器の内周面層になる位置に、ガラス転移温度４０℃以上の非晶性〜低結晶性の変性ポリエチレンテレフタレート樹脂層からなる酸素バリヤー性層が
、変性ポリオレフィン系樹脂層を介して、かつ、その変性ポリオレフィン系樹脂層のコロナ放電処理面に対向して
　【０００７】
　前記構成による本発明の液体用紙容器において、変性ポリエチレンテレフタレート樹脂層には、エチレングリコールとテレフタル酸とを主成分とし、これらの主成分に対する共重合成分として、エチレングリコール以外の多価アルコール及び／又はテレフタル酸以外の多価カルボン酸を利用して得られた共重合体からなるポリエステル樹脂、具体的には、酸成分の１部がイソフタル酸、ジフェニルジカルボン酸、トリメリット酸、アジピン酸、セバシン酸等に置き換えられている変性ポリエチレンテレフタレート樹脂や、エチレングリコール成分の１部がジエチレングリコール、プロピレングリコール、１，４−シクロヘキサンジメタノール、トリメチロールプロパン等に置き換えられている変性ポリエチレンテレフタレート樹脂、あるいは、前記変性ポリエチレンテレフタレート樹脂と非変性ポリエチレンテレフタレート樹脂との混合樹脂等が利用される。
　【０００８】
　本発明の液体用紙容器に利用される積層シートの積層構成中において、前記変性ポリエチレンテレフタレート樹脂層の接着剤層として使用されている変性ポリオレフィン系樹脂層には、例えば、低密度ポリエチレン、エチレン−酢酸ビニル共重合体、エチレン−α・オレフィン共重合体等のポリオレフィン系樹脂に対して、カルボキシル基やカルボニル基等の官能基を有するモノマーを共重合させたもの、例えば、エチレン−アクリル酸共重合体、エチレン−メタクリル酸共重合体、アイオノマー、さらには、これらの重合体に対して他の重合性モノマーを共重合させた共重合体等が利用される。
　【０００９】
　特に、エチレン−アクリル酸共重合体、エチレン−メタクリル酸共重合体、アイオノマー等に対してアクリル酸メチル，メタクリル酸エチル等のエステル基をするモノマーを第３成分として共重合させた変性ポリオレフィン系樹脂を利用する場合には、前述の変性ポリエチレンテレフタレート樹脂層からなる酸素バリヤー性層との間の接着力が極めて良好になる。
　また、変性ポリオレフィン系樹脂層面に対してコロナ放電処理を付すことにより、変性ポリエチレンテレフタレート樹脂層からなる酸素バリヤー性層と変性ポリオレフィン系樹脂層との間の接着強度を更に高めることができる。
　【００１０】
　紙容器の内周面層になる位置に積層してあるガラス転移温度４０℃以上の非晶性〜低結晶性の変性ポリエチレンテレフタレート樹脂層からなる酸素バリヤー性層は、本発明の液体用紙容器に好ましい酸素バリヤー性能を具備させるためのものであり、本発明の液体用紙容器を製函するための紙容器用積層シートの酸素透過度を９００ｃｃ／ｍ２・ｄａｙ・ａｔｍ以下にするためには、該変性ポリエチレンテレフタレート樹脂層の厚さを略７．５μ以上にすることが好ましい。
　【００１１】
　さらに、本発明の液体用紙容器においては、酸素バリヤー性層としての前記変性ポリエチレンテレフタレート樹脂層が、ガラス転移温度４０℃以上の非晶性〜低結晶性の変性ポリエチレンテレフタレート樹脂で形成されており、しかも該変性ポリエチレンテレフタレート樹脂層が、紙容器の内周面層となる位置に積層されているので、該樹脂層によるガラス転移温度未満の温度雰囲気中での優れた保香性能をも利用し得る。
　【００１２】
　すなわち、各種の液体による内填物が充填されている紙容器は、通常、４０℃未満の温度雰囲気中に置かれるということとの関係から、ガラス転移温度４０℃以上の非晶性〜低結晶性の変性ポリエチレンテレフタレート樹脂層による内周面層を有する本発明の液体用紙容器は、変性ポリエチレンテレフタレート樹脂層による酸素バリヤー性と共に、内填物に対する保香性能においても優れた作用を奏する液体用紙容器になる。
　【００１３】
　【作用】
　前記構成からなる本発明の液体用紙容器は、該紙容器を形成している紙容器用積層シートが紙層と薄肉のプラスチック層との積層構成で形成されており、例えばアルミニウム箔等による金属箔に起因する異物の存在が無いため、使用後の紙容器は紙資源のリサイクルのルートに載せることができ、廃棄処理が容易である。
　【００１４】
　また、本発明の液体用紙容器に使用されている変性ポリエチレンテレフタレート樹脂層は酸素バリヤー性能において優れた作用を奏することから、例えば、紙層とポリオレフィン系樹脂層とによる従来の紙容器用積層シートによる液体用紙容器が１５００〜３０００ｃｃ／ｍ２・ｄａｙ・ａｔｍの酸素透過度を有するのに対して、１００〜９００ｃｃ／ｍ２・ｄａｙ・ａｔｍ程度の酸素透過度のものになる。
　【００１５】
　更に本発明の液体用紙容器は、該紙容器の内周面層が、ガラス転移温度４０℃以上の非晶性〜低結晶性の変性ポリエチレンテレフタレート樹脂層からなるものであるために、内物に対する保香性能において優れた作用を奏する紙容器になる。
　【００１６】
　【実施例】
　以下、本発明の液体用紙容器についての具体的な構成を実施例をもって説明し、該紙容器の酸素バリヤー性能を比較例の紙容器の酸素バリヤー性能と比較して説明する。
　【００１７】
　紙容器用積層シート［ａ］の製造
　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を
形成した。
　
次に、上記の厚さ３０μの押出しコート層の面に、
が、その変性ポリオレフィン系樹脂層のコロナ放電処理面に対向させて積層した積層樹脂層を、その積層樹脂層における
　【００１８】
　紙容器用積層シート［ｂ］の製造
　前記紙容器用積層シート［ａ］の製造工程中のグリコール変性ポリエチレンテレフタレート樹脂に代えて、イソフタル酸変性ポリエチレンテレフタレート樹脂（ガラス転移温度：６８℃，非晶性）を利用し、その他の構成については、紙容器用積層シート［ａ］の対応する構成と同一の構成からなる酸素透過度１５０ｃｃ／ｍ２・ｄａｙ・ａｔｍの紙容器用積層シート［ｂ］を得た。
　【００１９】
　紙容器用積層シート［ｃ］の製造
　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ３０μの押出しコート層を
形成した。
　
次に、上記の厚さ３０μの押出しコート層の面に、
が、その変性ポリオレフィン系樹脂層のコロナ放電処理面に対向させて積層した積層樹脂層を、その積層樹脂層
、すなわち、積層樹脂層における変性ポリエチレンテレフタレート樹脂層が最外層となるようにして
　【００２０】
　紙容器用積層シート［ｄ］の製造
　前記紙容器用積層シート［ｃ］の製造工程中のグリコール変性ポリエチレンテレフタレート樹脂に代えて、イソフタル酸変性ポリエチレンテレフタレート樹脂（ガラス転移温度：６８℃，非晶性）を利用し、その他の構成については、紙容器用積層シート［ｃ］の対応する構成と同一の構成からなる酸素透過度８０ｃｃ／ｍ２・ｄａｙ・ａｔｍの紙容器用積層シート［ｄ］を得た。
　【００２１】
　紙容器用積層シート［ｅ］の製造
　坪量３４０ｇ／ｍ２の厚紙の片面に厚さ１５μのポリエチレン樹脂の押出しコート層を形成した後、前記厚紙のもう一方の面に対して、ポリエチレン樹脂による厚さ４０μの押出しコート層を積層することにより、酸素透過度１８００ｃｃ／ｍ２・ｄａｙ・ａｔｍの比較のための容器用積層シート［ｅ］を得た。
　【００２２】
　液体用紙容器の製造
　前記各紙容器用積層シートを３００ｍｍ×３００ｍｍの紙容器用のブランク板に打ち抜き成形する工程と、得られたブランク板の側辺部同士を重畳して熱溶着する工程とにより、各紙容器用積層シートにおける厚さ１５μのポリエチレン樹脂層が外側周面層になっている、つまり変性ポリエチレンテレフタレート樹脂層が内周面層になっている角筒体を成形し、さらに、常法に基づいて底部を封緘することにより、底部を有する角筒体を得た。
　【００２３】
　続いて、前記底部を有する角筒体に対して、１０００ｃｃのオレンジジュースを充填すると共に熱任による頂部の形成を行ない、容器頭部が屋根型をなすゲーベルトップ型の紙容器、すなわち、横幅７．０ｃｍ，奥行７．０ｃｍ，高さ２３５ｃｍのゲーベルトップ型の紙容器を得た。
　【００２４】
　以上の工程によって得られた各密封紙容器を１０℃の雰囲気中に３週間放置した後、内填物であるオレンジジュースのビタミンＣの保持量（％）を計量した。
　結果は以下の通りである。
　【００２５】
　本発明の実施例品
　紙容器用積層シート［ａ］による紙容器・・・・・・・５５％
　紙容器用積層シート［ｂ］による紙容器・・・・・・・７０％
　紙容器用積層シート［ｃ］による紙容器・・・・・・・７０％
　紙容器用積層シート［ｄ］による紙容器・・・・・・・７５％
　本発明の比較例品
　紙容器用積層シート［ｅ］による紙容器・・・・・・・３０％
　【００２６】
　また、紙容器用積層シート［ｅ］による紙容器内のオレンジジュースは褐変していたが、それ以外の紙容器内のオレンジジュースは褐変の度合いが非常に少なかった。
　【００２７】
　【効果】
　本発明の液体用紙容器は、紙層とプラスチック層とからなる紙容器用積層シートを製函して得られたものであることから、紙資源のリサイクルのルートに載せることができ、使用後の処置が容易である。
　【００２８】
　また本発明の液体用紙容器は、該紙容器の内周面層が酸素バリヤーにおいて優れた作用を奏する変性ポリエチレンテレフタレート樹脂層からなるものであるために、空気中の酸素によって変質し易い液体に対しての保存性能が良好であり、その実用性において多大の効果を有する。
　【００２９】
　更に本発明の液体用紙容器は、該紙容器の内周面層をなす変性ポリエチレンテレフタレート樹脂層が、ガラス転移温度４０℃以上の非晶性〜低結晶性の変性ポリエチレンテレフタレート樹脂で形成されているので、内填物の保香性能に優れた作用を奏する紙容器になる。